(57)【要約】【課題】従来技術のリモコンで操作をしようとすると直観的な操作のためには必ずテレビ装置の表示を利用する必要があった。すると本来視聴のために利用されるべきテレビ画面が、視聴に至る前の準備手続きでも稼働されざるを得ず、そのため、消費エネルギー低減の面において非効率は否めなかった。そうすると、利用者が必要としている処理を特定し、その特定された処理に対して必要最低限の処理をするように構成するように、リモコンシステムにおいて利用者に対するインタフェースの稼働の効率化が課題となる。【解決手段】以上の課題解決のため、テレビ装置が、リモコン装置に対して制御状態情報と、コンテンツや機能の選択を支援するナビ情報とを送ることが可能であり、リモコン装置は制御状態情報とナビ情報に応じて、案内を表示することの可能なリモコンシステムなどを提供する。【選択図】図２
2010147550.tif 000002
【特許請求の範囲】
【請求項１】
コンテンツを視聴させるための視聴部と、
内部機器を所定の制御状態にするための制御部と、
リモコン装置に送信するための制御状態情報を生成する制御状態情報生成部と、
リモコン装置に送信するためにユーザに対してコンテンツの選択を助けるための情報であるナビ情報を生成するナビ情報生成部と、
リモコン装置と通信するためのテレビ側通信部と、
を有するテレビ装置と、
テレビ装置と通信するためのリモコン側通信部と、
テレビ装置から制御状態情報を取得する制御状態情報取得部と、
テレビ装置からナビ情報を取得するナビ情報取得部と、
制御状態情報に応じて、ナビ情報に基づく案内を表示する案内ウインドウ部と、
を有するリモコン装置と、
からなるリモコンシステム。
【請求項２】
制御状態情報生成部は、
制御状態情報としてスタンバイ制御状態を示すスタンバイ制御状態情報を生成するスタンバイ制御状態情報生成手段を有し、
案内ウインドウ部は、
制御状態情報として取得したスタンバイ制御状態情報に基づいて前記表示をするスタンバイ時案内ウインドウ手段を有する請求項１に記載のリモコンシステム。
【請求項３】
ナビ情報生成部は、
ナビ情報として視聴可能なコンテンツの映像情報であるナビ映像情報を生成するナビ映像情報生成手段を有し、
案内ウインドウ部は、
ナビ情報取得部が取得したナビ情報であるナビ映像情報に基づいて案内としてナビ映像を表示するナビ映像案内手段を有する
請求項１または２に記載のリモコンシステム。
【請求項４】
制御状態情報生成部は、
制御状態情報として通常操作可能制御状態を示す通常操作可能制御状態情報を生成する通常操作可能制御状態情報生成手段を有し、
案内ウインドウ部は、
制御状態情報として取得した通常操作可能制御状態情報に基づいて前記スタンバイ時案内ウインドウ手段による表示を停止する停止手段を有する請求項２または請求項２に従属する請求項３に記載のリモコンシステム。
【請求項５】
コンテンツを視聴させるための視聴部と、
内部機器を所定の制御状態にするための制御部と、
リモコン装置に送信するための制御状態情報を生成する制御状態情報生成部と、
リモコン装置と通信するためのテレビ側通信部と、
を有するテレビ装置と、
テレビ装置と通信するためのリモコン側通信部と、
テレビ装置から制御状態情報を取得する制御状態情報取得部と、
テレビ装置を操作するためのユーザからの操作情報を取得する操作情報取得部と、
制御状態情報と、操作情報と、に基づいてテレビ装置に送信するための操作信号を生成する操作信号生成部と、
を有するリモコン装置と、
からなるリモコンシステム。
【請求項６】
リモコン装置は、
制御状態情報に基づいて操作信号を生成するためのルールを保持するルール保持部を有し、
リモコン装置の操作信号生成部は、
保持されている前記ルールに従って操作信号を生成するルール依存生成手段を有する
請求項５に記載のリモコンシステム。
【請求項７】
テレビ装置は、
リモコン装置に送信するために、視聴可能なコンテンツの量を示す情報であるコンテンツ量情報を取得するコンテンツ量情報取得部を有し、
リモコン装置の操作信号生成部は、
取得したコンテンツ量情報に応じて操作信号を生成するためのコンテンツ量依存操作信号生成手段を有する請求項５または６に記載のリモコンシステム。
【請求項８】
テレビ装置と、
リモコン装置とからなるリモコンシステムであって、
テレビ装置の動作は、
コンテンツを視聴させるための視聴ステップと、
内部機器を所定の制御状態にするための制御ステップと、
リモコン装置に送信するための制御状態情報を生成する制御状態情報生成ステップと、
リモコン装置に送信するためにユーザに対してコンテンツの選択を助けるための情報であるナビ情報を生成するナビ情報生成ステップと、
リモコン装置と通信するためのテレビ側通信ステップと、
を有し、
リモコン装置の動作は、
テレビ装置と通信するためのリモコン側通信ステップと、
テレビ装置から制御状態情報を取得する制御状態情報取得ステップと、
テレビ装置からナビ情報を取得するナビ情報取得ステップと、
制御状態情報に応じて、ナビ情報に基づく案内を表示する案内ウインドウ表示ステップと、
を有する、リモコンシステムの動作方法。
【請求項９】
テレビ装置と、
リモコン装置とからなるリモコンシステムであって、
テレビ装置の動作は、
コンテンツを視聴させるための視聴ステップと、
内部機器を所定の制御状態にするための制御ステップと、
リモコン装置に送信するための制御状態情報を生成する制御状態情報生成ステップと、
リモコン装置と通信するためのテレビ側通信ステップと、
を有し、
リモコン装置の動作は、
テレビ装置と通信するためのリモコン側通信ステップと、
テレビ装置から制御状態情報を取得する制御状態情報取得ステップと、
テレビ装置を操作するためのユーザからの操作情報を取得する操作情報取得ステップと、
制御状態情報と、操作情報と、に基づいてテレビ装置に送信するための操作信号を生成する操作信号生成ステップと、
を有する、リモコンシステムの動作方法。
【発明の詳細な説明】
【技術分野】
【０００１】
本発明は、テレビ等におけるコンテンツの選択を容易に行うことのできるヒューマンインタフェース技術に関する。
【背景技術】
【０００２】
放送の多チャンネル化や、放送と通信の融合等により、テレビ受信機等の受信端末装置において取り扱うメディアやコンテンツの種類が増加している。これに応じて、受信端末装置を手元で操作するリモコン装置も大量コンテンツの取り扱いに適した物が求められている。例えばテレビ受信機のリモコン装置は、従来ならばテンキーボタンに加え、数個のボタンでほぼすべてのコンテンツ選択は可能であった。しかしながら、大量のコンテンツを扱う現在の環境下においては、例えば表示画面上のサムネイルを選択するような、より直感的な操作が可能なコンテンツ選択ナビゲーションに対応したリモコン装置が必要とされている。
【０００３】
【特許文献１】特開２００６−２１１１２５号公報
【発明の開示】
【発明が解決しようとする課題】
【０００４】
従来技術のリモコンで操作をしようとすると直観的な操作のためには必ずテレビ装置の表示を利用する必要があった。リモコンでは人が直感で感じ取れる程度の十分な量の情報を提示できなかったからである。従って、本来であればテレビ装置に表示する必要がない操作でも、常にテレビ装置に画面表示を行う必要があった。例えば番組選択を映像を介して行わせるためにはテレビ自身にその映像を表示して示さなければならなかった。この例では、本来視聴のために利用されるべきテレビ画面が、特に最近では大画面が、視聴に至る前の準備手続きでも稼働されざるを得ず、そのため、消費エネルギー低減の面において非効率は否めなかった。もしも、利用者が必要としている処理を特定し、その特定された処理に対して必要最低限の処理（たとえば番組の選択は、テレビスタンバイ状態でもリモコンに推薦番組映像を表示させることで可能とする、コンテンツの量に応じて同じめくり操作でも単位操作あたりのめくり量をかえるように操作信号をリモコンから送信する）をするように構成できるとすれば、もっと効率的なシステムとなるはずである。そこで発明者らは、利用者が必要とする処理をテレビ装置の状態を示す情報を介して取得することで、利用者に対するインタフェースの稼働を効率化できるはずだと考えた。従って、上記に述べたように、リモコンシステムにおいて利用者に対するインタフェースの稼働の効率化が課題となる。
【課題を解決するための手段】
【０００５】
以上の課題を解決するために、本発明は以下のようなリモコンシステムを提供する。第一に、テレビ装置が、リモコン装置に対して制御状態情報と、コンテンツや機能の選択を支援するナビ情報とを送ることが可能であり、リモコン装置は制御状態情報とナビ情報に応じて、案内を表示することの可能なリモコンシステムを提供する。
【０００６】
具体的には、コンテンツを視聴させるための視聴部と、内部機器を所定の制御状態にするための制御部と、リモコン装置に送信するための制御状態情報を生成する制御状態情報生成部と、リモコン装置に送信するためにユーザに対してコンテンツの選択を助けるための情報であるナビ情報を生成するナビ情報生成部と、リモコン装置と通信するためのテレビ側通信部と、を有するテレビ装置と、テレビ装置と通信するためのリモコン側通信部と、テレビ装置から制御状態情報を取得する制御状態情報取得部と、
テレビ装置からナビ情報を取得するナビ情報取得部と、制御状態情報に応じて、ナビ情報に基づく案内を表示する案内ウインドウ部と、を有するリモコン装置と、からなるリモコンシステムである。
【０００７】
第二は、上記第一のリモコンシステムを基本として、リモコン装置が、制御状態情報によりテレビのスタンバイ状態であるか否かを検知し、ナビ情報を表示可能なリモコンシステムである。例えば、スタンバイ状態の時だけ現在放送中の番組情報を表示するなどの制御が可能である。具体的には、第一のリモコンシステムのテレビ装置における制御状態情報生成部が、制御状態情報としてスタンバイ制御状態を示すスタンバイ制御状態情報を生成するスタンバイ制御状態情報生成手段を有し、リモコン装置における案内ウインドウ部が、制御状態情報として取得したスタンバイ制御状態情報に基づいて前記表示をするスタンバイ時案内ウインドウ手段を有するリモコンシステムである。
【０００８】
第三は、上記第一や第二のリモコンシステムを基本として、リモコン装置がテレビ装置より、視聴可能なコンテンツのナビ情報を受け取り、リモコン装置側でこれを表示することが可能なリモコンシステムである。具体的には、第一または第二のリモコンシステムのテレビ装置におけるナビ情報生成部が、ナビ情報として視聴可能なコンテンツの映像情報であるナビ映像情報を生成するナビ映像情報生成手段を有し、リモコン装置における案内ウインドウ部が、ナビ情報取得部が取得したナビ情報であるナビ映像情報に基づいて案内としてナビ映像を表示するナビ映像案内手段を有するリモコンシステムである。
【０００９】
第四は、上記第二と、第二の構成を基本とする第三のリモコンシステムとを基本として、スタンバイ状態から視聴状態に移行したときには、リモコン上での案内表示を停止する制御が可能なリモコンシステムである。具体的には、第二と、第二に従属する第三のリモコンシステムのテレビ装置における制御状態情報生成部が、制御状態情報として通常操作可能制御状態を示す通常操作可能制御状態情報を生成する通常操作可能制御状態情報生成手段を有し、リモコン装置における案内ウインドウ部が、制御状態情報として取得した通常操作可能制御状態情報に基づいて前記スタンバイ時案内ウインドウ手段による表示を停止する停止手段を有するリモコンシステムである。
【００１０】
第五は、リモコン装置はテレビ装置より制御状態情報を取得可能であり、リモコン装置がこの制御状態情報に基づいてユーザからの操作情報を取得し、テレビ装置に対し操作信号として送信可能なリモコンシステムである。
【００１１】
具体的には、コンテンツを視聴させるための視聴部と、内部機器を所定の制御状態にするための制御部と、リモコン装置に送信するための制御状態情報を生成する制御状態情報生成部と、リモコン装置と通信するためのテレビ側通信部と、を有するテレビ装置と、テレビ装置と通信するためのリモコン側通信部と、テレビ装置から制御状態情報を取得する制御状態情報取得部と、テレビ装置を操作するためのユーザからの操作情報を取得する操作情報取得部と、制御状態情報と、操作情報と、に基づいてテレビ装置に送信するための操作信号を生成する操作信号生成部と、を有するリモコン装置と、からなるリモコンシステムである。
【００１２】
第六は、上記第五のリモコンシステムを基本として、リモコン装置が操作信号を生成するためのルールを保持し、取得した操作情報と、制御状態情報とに基づいて操作信号を生成可能なリモコンシステムである。具体的には、第五のリモコンシステムのリモコン装置が、制御状態情報に基づいて操作信号を生成するためのルールを保持するルール保持部を有し、リモコン装置の操作信号生成部が、保持されている前記ルールに従って操作信号を生成するルール依存生成手段を有するリモコンシステムである。
【００１３】
第七は、上記第五または第六のリモコンシステムを基本として、テレビ装置がコンテンツ量情報を取得可能であり、当該情報はリモコン装置に送信され、リモコン装置は受信した当該情報と上記制御状態情報等とに基づいて操作信号を生成することの可能なリモコンシステムである。具体的には、第五または第六のリモコンシステムにおけるテレビ装置が、リモコン装置に送信するために、視聴可能なコンテンツの量を示す情報であるコンテンツ量情報を取得するコンテンツ量情報取得部を有し、リモコン装置の操作信号生成部は、取得したコンテンツ量情報に応じて操作信号を生成するためのコンテンツ量依存操作信号生成手段を有するリモコンシステムである。
【発明の効果】
【００１４】
以上のような構成をとる第一の発明によって、リモコン装置はテレビ装置からコンテンツ等の選択を支援するナビ情報を取得することが可能である。これにより、例えば現在視聴している番組や裏番組の番組名や番組情報などをリモコン装置において取得して、表示を行うことでコンテンツ等の選択を支援する処理を実行することができる。
【００１５】
また、第二の発明によって、リモコン装置はテレビ装置がスタンバイ状態か否かの情報をさらに取得可能である。これにより、例えば、テレビがスタンバイ状態の時に、テレビ装置に蓄積された視聴履歴のＥＰＧ（Ｅｌｅｃｔｒｏｎｉｃ  Ｐｒｏｇｒａｍ  Ｇｕｉｄｅ）データなどからおすすめコンテンツを抽出し、そのコンテンツのタイトルや、番組情報などのデータをリモコン装置において表示する処理等を実行することができる。
【００１６】
第三の発明によって、リモコン装置はテレビ装置から映像情報を取得し、これに基づいて案内情報を表示することが可能となる。これにより、例えば、テレビ装置であるチャンネルを視聴中に裏番組のチャンネルの映像を取得してリモコン装置で表示したり、あるコンテンツを視聴中に関連するコンテンツの映像情報を表示したりすることが可能である。
【００１７】
第四の発明によって、リモコン装置はテレビ装置がスタンバイ状態から通常視聴状態に移行した場合に、リモコン装置における表示の停止を行うことが可能である。これにより、情報提示の主体をリモコンからテレビ装置へ移行させることができ、以降はテレビ装置においてコンテンツ等のナビゲーションを行うことを利用者に対して明示的に示すことが可能である。
【００１８】
第五の発明によって、テレビ装置側の状態に応じてリモコン装置側の操作系を柔軟に変化することが可能となる。その結果、効率的で利便性の高いコンテンツ等の選択操作が可能となる。例えば、テレビ装置側で、上下左右に選択カーソルを移動させて受信チャンネルを選択させる画面においては、リモコン装置側において上下左右にカーソルを移動させる操作を受け付けやすいように、入力デバイスにおいて入力信号を選択的にするなどの制御が可能である。
【００１９】
第六の発明によって、リモコン装置は、さらに当該装置に保持された操作信号生成ルールに基づいて、テレビ装置に対して操作信号を送信することが可能である。これにより、コンテンツ等の選択場面において、制御状態情報に含まれたナビゲーションのモード（例えば二次元のナビゲーションや、円座標系のナビゲーション）等に応じて最適な操作を受け付けるように入力デバイスなどを制御する処理が可能である。すると、選択されるコンテンツ等の種類に最適なナビゲーションによりコンテンツ等の選択支援を行うことが可能である。
【００２０】
第七の発明によって、リモコン装置がテレビ装置の取得したコンテンツ量情報を取得し、これに応じて、操作信号の生成が可能である。これにより、同一座標系で構築されたナビゲーション空間内でも、コンテンツの量に応じて、一操作に対する移動量をより多くする処理などが可能である。その結果、迅速で利便性の高い検索および選択処理が可能である。
【発明を実施するための最良の形態】
【００２１】
以下に、図を用いて本発明の実施の形態を説明する。なお、本発明はこれら実施の形態に何ら限定されるものではなく、その要旨を逸脱しない範囲において、種々なる態様で実施しうる。なお、実施例１は、主に請求項１および請求項８について説明する。実施例２は、主に請求項２について説明する。実施例３は、主に請求項３について説明する。実施例４は、主に請求項４について説明する。実施例５は、主に請求項５及び請求項９について説明する。実施例６は、主に請求項６について説明する。実施例７は、主に請求項７について説明する。
【００２２】
≪実施例１≫
<概要>
図１は、リモコン装置とテレビ装置との動作を示す概念図であり、本実施例のリモコンシステムによる処理の一例を説明するための図である。この図にあるように、タッチパネルにより動作するリモコン装置（０１０２）が選局操作を受け付けている。テレビ装置（０１０１）は、現在選局されている地上デジタル放送１ｃｈの画面を表示している。ここで、テレビ装置（０１０１）は、制御状態情報として、「地上（メディアID）デジタル１ｃｈ（コンテンツID）」と、ナビ情報として現在選局中の放送内容「主な項目…」との情報（０１０３）をリモコン装置（０１０２）へ送信している。なお、制御状態情報とナビ情報の詳細については後述する。
【００２３】
このように本発明のリモコンシステムは、テレビ装置（０１０１）において、上述のような情報（０１０３）などを生成し、リモコン装置（０１０２）へ送信することが可能である。また、リモコン装置（０１０２）においては、受信した情報（０１０３）によってコンテンツやメディアの選択といった処理を支援する案内表示を行う処理が可能である。
【００２４】
<機能的構成>
図２は、本実施例のリモコンシステムにおける機能ブロックの一例を表す図である。この図にあるように、本実施例のリモコンシステムは、「テレビ装置」（０２０１）と、「リモコン装置」（０２０２）とを有する。「テレビ装置」（０２０１）は、「制御部」（０２０３）と、「制御状態情報生成部」（０２０４）と、「テレビ側通信部」（０２０５）と、「視聴部」（０２０６）と、「ナビ情報生成部」（０２０７）とを有する。「リモコン装置」（０２０２）は、「リモコン側通信部」（０２０８）と、「制御状態情報取得部」（０２０９）と、「案内ウインドウ部」（０２１０）と、「ナビ情報取得部」（０２１１）とを有する。
【００２５】
なお、以下に記載する映像処理装置の機能ブロックは、ハードウェア、ソフトウェア、又はハードウェア及びソフトウェアの両方として実現され得る。具体的には、コンピュータを利用するものであれば、CPUや主メモリ、バス、あるいは二次記録媒体（ハードディスクや不揮発性メモリ、CD−ROMやDVD−ROMなどの記憶メディアとそれらメディアの読取ドライブなど）、印刷機器や表示装置、その他の外部周辺装置などのハードウェア構成部やその外部周辺機器用のI/Oポート、それらハードウェアを制御するためのドライバプログラムやその他アプリケーションプログラム、情報入力に利用されるユーザーインターフェースなどが挙げられる。
【００２６】
またこれらハードウェアやソフトウェアは、主メモリ上に展開したプログラムをCPUで演算処理したり、メモリやハードディスク上に保持されているデータや、インタフェースを介して入力されたデータなどを加工、蓄積、出力処理したり、あるいは各ハードウェア構成部の制御を行ったりするために利用される。また、この発明は装置として実現できるのみでなく、方法としても実現可能である。また、このような発明の一部をソフトウェアとして構成することができる。さらに、そのようなソフトウェアをコンピュータに実行させるために用いるソフトウェア製品、及び同製品を記録媒体に固定した記録媒体も、当然にこの発明の技術的な範囲に含まれる（本明細書の全体を通じて同様である）。
【００２７】
「視聴部」（０２０６）は、テレビ装置（０２０１）において、コンテンツを視聴させるための機能を有する。「コンテンツ」とは、テレビ装置（０２０１）において表示される放送や、光ディスクや磁気ディスク等の媒体に記録された映像及び音声のデータなどを指す。また、上記に加えて、放送のチャンネルを選択する画面や、媒体に記録されたデータを選択する画面といったコンテンツ選択画面や、チャンネル設定などの画面といった設定メニュー画面、メディア選択画面等を行うためのナビゲーション画面等が含まれる。「視聴をさせるための機能」とは、上記画面を表示させるための機能である。具体的には、放送を受信するチューナや、デコーダ、ナビゲーション画面を保持および生成するバックエンド回路、映像や音声などを記録する光ディスクや磁気ディスク、映像を出力するディスプレイ装置、音声を出力するスピーカ、これらの装置を駆動する電源装置等の機器が提供する機能が含まれる。上記機能は、後述する制御部（０２０３）より出力される制御信号により制御され提供される。
【００２８】
「制御部」（０２０３）は、内部機器を所定の制御状態にするための機能を有する。「内部機器」とは、上記に説明した視聴部（０２０６）を構成するチューナ等の機器が含まれる他、後述する「制御状態情報生成部」（０２０４）、「テレビ側通信部」（０２０５）、及び「ナビ情報生成部」（０２０７）を構成するテレビ装置（０２０１）内の機器全般を指す。「所定の制御状態にするための機能」とは、内部機器との間で制御信号を送受信し各機器の状態を取得し変化させ、テレビ装置（０２０１）が有する機能を発揮させることを指す。
【００２９】
「制御状態情報生成部」（０２０４）は、リモコン装置に送信するための制御状態情報を生成する機能を有する。具体的には、制御部（０２０３）からテレビ装置（０２０１）の状態を取得し、これをリモコン装置（０２０２）に対して出力する制御状態情報へ変換し、テレビ側通信部（０２０５）を介してリモコン装置（０２０２）へ送信することを指す。「制御状態情報」とは、テレビ装置（０２０１）内の状態を元に記述したもので、リモコン装置（０２０２）において案内表示を行うために供される情報の事を指す。例えば、図1（０１０３）に示したように、現在アクティブとなっている機能（例えばチャンネル設定や、リモコンコード設定など）メディアID（例えば地上デジタル放送や、DVD、VODなど）や、コンテンツID（例えば、チャンネル、番組名、URL）などが考えられる。データ形式は単に状態データを記述するものでもよいし、当部に保持されたルールを元に制御コマンドを含んだものでもよい。
【００３０】
「ナビ情報生成部」（０２０７）は、リモコン装置に送信するためにユーザに対してコンテンツの選択を助けるための情報であるナビ情報を生成する機能を有する。具体的には、視聴部（０２０６）よりデータを受け取り、リモコン装置（０２０２）において案内表示を行うためのナビ情報へ変換することを指す。「ナビ情報」とは、リモコン装置（０２０２）の案内ウインドウ部（０２１０）において表示される案内表示を構成する情報である。例えば、「テレビ装置」（０２０１）に蓄積されているコンテンツのメタデータや、サムネイルデータ、動画をスライドショー化したデータ等が考えられる。ナビ情報データは、テレビ側通信部（０２０５）へ出力され、リモコン装置（０２０２）へ送信される。
【００３１】
「テレビ側通信部」（０２０５）は、リモコン装置と通信するための機能を有する。具体的には、制御状態情報生成部（０２０４）で生成された制御状態情報データと、ナビ情報生成部（０２０７）で生成されたナビ情報データとを入力として受け取り、所定の通信方式により符号化し、リモコン装置（０２０２）側のリモコン側通信部（０２０８）へ出力する。ここで、所定の通信方式とは設計事項である。通信媒体も同様に設計事項であり、赤外線でもよいし、無線電波でもＥｔｈｅｒｎｅｔ（登録商標）などを使用した有線によるものでもよい。
【００３２】
「リモコン側通信部」（０２０８）は、テレビ装置と通信するための機能を有する。具体的には、テレビ装置（０２０１）のテレビ側通信部（０２０５）より送信された信号を受信し、データとして制御状態情報取得部（０２０９）とナビ情報取得部（０２１１）に対して出力する。通信方式や、通信媒体については「テレビ側通信部」（０２０５）において述べたのと同様に、設計事項である。
【００３３】
「制御状態情報取得部」（０２０９）は、テレビ装置から制御状態情報を取得する機能を有する。具体的にはテレビ装置（０２０１）よりリモコン側通信部（０２０８）を介して入力されたデータより制御状態情報データを取得し、制御状態情報として後述する案内ウインドウ部（０２１０）へ出力する。「制御状態情報データを取得」とは、リモコン側通信部（０２０８）より入力されたデータより、制御状態情報データを取り出し、案内ウインドウ部（０２１０）が利用可能な形式に変換することを指す。ここで言う「利用可能な形式」とは、案内ウインドウ部（０２１０）が表示するナビ情報の表示形式（スタイル、配置、大きさ等）を規定するものである。
【００３４】
「ナビ情報取得部」（０２１１）は、テレビ装置からナビ情報を取得する機能を有する。具体的にはテレビ装置（０２０１）よりリモコン側通信部（０２０８）を介して入力されたデータよりナビ情報データを取得し、ナビ情報として後述する案内ウインドウ部（０２０１）へ出力する。「ナビ情報データを取得」とは、「制御状態情報取得部」（０２０９）と同様に、リモコン側通信部（０２０８）より入力されたデータより、ナビ情報データを取り出し、案内ウインドウ部（０２１０）が利用可能な形式に変換することを指す。
【００３５】
「案内ウインドウ部」（０２１０）は、制御状態情報に応じて、ナビ情報に基づく案内を表示する機能を有する。具体的には、「制御状態情報取得部」（０２０９）より制御状態情報を、「ナビ情報取得部」（０２１１）よりナビ情報を入力データとして受け取り、案内表示映像及び音声を構成して表示装置等により映像や音声の表示及び出力を行う。例えば、テレビ装置（０２０１）の視聴部（０２０６）において地上デジタル放送の１ｃｈを視聴中の場合には、「表示形式―>チャンネル選択表示、表示情報―>１ｃｈのＥＰＧデータ」といったように、制御状態情報として「チャンネル選択表示」、ナビ情報として「１ｃのＥＰＧデータ」を入力として受け取り、案内表示映像として例えば図１のリモコン装置（０１０２）に表示されている案内表示を構成し表示を行う。
【００３６】
<処理の流れ>
図３は、本実施例のリモコンシステムにおける処理の流れの一例を表すフローチャートである。なお、以下に示すステップは、媒体に記録され計算機を制御するためのプログラムを構成する処理ステップであっても構わない。この図にあるように、まず、テレビ装置側において、制御状態情報を生成する（ステップＳ０３０１）。次にナビ情報を生成する（ステップＳ０３０２）。そして、リモコン装置に生成した情報を送信する（ステップＳ０３０３）。これをリモコン装置側において受信する（ステップＳ０３０４）。受信した情報より、制御状態情報を取得（ステップＳ０３０５）し、ナビ情報を取得（ステップＳ０３０６）取得する。この後、取得した制御状態情報に応じ、ナビ情報に基づく案内を表示する（ステップＳ０３０７）。
【００３７】
<ハードウェア的構成>
図４は、上記機能的な各構成要件をハードウェアとして実現した際の、リモコンシステムにおける構成の一例を表す概略図である。この図を利用してリモコンシステムの案内表示処理におけるそれぞれのハードウェア構成部の働きについて説明する。この図にあるように、リモコンシステムは「リモコン装置」（０４０１）と「テレビ装置」（０４０２）からなる。リモコン装置（０４０１）は、「マイコン」（０４０３）と、「タッチパネル」（０４０４）と、「赤外線受光素子」（０４０５）とを備える。「マイコン」（０４０３）はチップ内に各種演算処理を行う「ＣＰＵ（中央演算装置）」（０４０６）と、「ＲＡＭ」（０４０７）と、「ＲＯＭ」（０４０８）とを有しており、相互に接続されている。「テレビ装置」（０４０２）は、リモコンとの通信を制御する「フロントマイコン」（０４１０）と、「赤外線発光素子」（０４１１）と、映像や音声などのデコードや各種機能の制御全般を行う「バックエンドＬＳＩ」（０４１２）と、それに接続された「ＲＡＭ」（０４１３）及び「ＲＯＭ」（０４１４）と、放送を受信する「チューナ」（０４１５）と、ドライバＬＳＩを介して接続された「ＬＣＤ（液晶ディスプレイ）」（０４１６）等を有している。「フロントマイコン」（０４１０）には、チップ内に「ＣＰＵ（中央演算装置）」（０４１７）と「ＲＡＭ」（０４１８）と「ＲＯＭ」（０４１９）とを有しており、相互に接続されている。
【００３８】
ここで、チューナ（０４１５）により放送が受信されており、バックエンドＬＳＩに映像及び音声、及びＥＰＧなどが含まれる信号がバックエンドＬＳＩ（０４１２）に入力されている。するとバックエンドＬＳＩにおいてＤｅｍｕｘ処理やデコード処理が行われる。ＲＡＭ（０４１３）上にはバックエンドＬＳＩにおいて取得されたｋ個の要素について、現在の制御状態を表す変数Ｓ１…Ｓｋが格納されている。リモコンシステムの状態が変化すると、これらの値が更新される。更新された変数Ｓｔの値はフロントマイコン（０４１０）に出力され、チップ内のＲＡＭ（０４１８）の変数Ｖに格納される。するとＲＯＭ（０４１９）に格納されている規則によりＣＰＵ（０４１７）においてＶが評価され、制御状態情報データＣが生成される。一方、バックエンドＬＳＩより入力された映像情報やデータ情報は、バックエンドＬＳＩにより加工され、フロントマイコンに出力される。そしてナビ情報データを格納する変数Ｎの値としてＲＡＭ（０４１８）に格納される。ＮとＣはリモコン信号に変換され、赤外線発光素子（０４１１）よりリモコン装置（０４０１）の赤外線受光素子（０４０５）に対して送信される。送信された信号はリモコン装置（０４０１）のマイコン（０４０３）においてＣ，Ｎに復号化される。Ｃ，ＮはＲＯＭ（０４０８）に格納されている規則に従って、ＣＰＵ（０４０４）において評価され、表示画面が生成される。これがタッチパネル（０４０４）に出力され、案内表示として表示される。
【００３９】
<効果の簡単な説明>
以上のように本実施例のリモコンシステムによって、リモコン装置はテレビ装置からコンテンツ等の選択を支援するナビ情報を取得することが可能である。これにより、例えば現在視聴している番組や裏番組の番組名や番組情報などをリモコン装置において取得して、表示を行うことでコンテンツ等の選択を支援する処理を実行することができる。
【００４０】
≪実施例２≫
<概要>
本実施例のリモコンシステムでは、上記実施例で説明したリモコンシステムの処理に加え、スタンバイ時を示す制御状態情報を取得可能である。これをナビ情報と共にリモコン装置に送信することで、スタンバイ状態時にリモコン装置において案内情報の表示を行う処理の実行が可能である。
【００４１】
<機能的構成>
図５は、本実施例のリモコンシステムにおける機能ブロックの一例を表す図である。この図にあるように、本実施例のリモコンシステムは、実施例１のリモコンシステムを基本として、「テレビ装置」（０５０１）と、「リモコン装置」（０５０２）とを有する。「テレビ装置」（０５０１）は、「制御部」（０５０３）と、「制御状態情報生成部」（０５０４）と、「テレビ側通信部」（０５０５）と、「視聴部」（０５０６）と、「ナビ情報生成部」（０５０７）とを有する。「リモコン装置」（０５０２）は、「リモコン側通信部」（０５０８）と、「制御状態情報取得部」（０５０９）と、「案内ウインドウ部」（０５１０）と、「ナビ情報取得部」（０５１１）とを有する。なお、これら構成要件については上記実施例にて既に記載済みであるのでその説明は省略する。本実施例のリモコンシステムは、「テレビ装置」（０５０１）の「制御状態情報生成部」（０５０４）が「スタンバイ制御状態情報生成手段」（０５１２）を、「リモコン装置」（０５０２）の「案内ウインドウ部」（０５１０）が「スタンバイ時案内ウインドウ手段」（０５１３）を新たに有する。
【００４２】
「スタンバイ制御状態情報生成手段」（０５１２）は、制御状態情報としてスタンバイ制御状態を示すスタンバイ制御状態情報を生成する機能を有する。具体的には、テレビ装置（０５０１）がスタンバイ状態になったことを制御部からの信号を取得することで検出し、制御状態情報データとしてテレビ側通信部（０５０５）に対して出力を行う。「スタンバイ制御状態」とは、テレビ装置（０５０１）より映像や音声が出力されていない状態を指す。従って、映像や音声は出力されないものの、その他放送の受信等の、映像表示や音声出力以外の処理をバックグラウンドで行っている状態も含まれる。
【００４３】
「スタンバイ時案内ウインドウ手段」（０５１３）は、制御状態情報として取得したスタンバイ制御状態情報に基づいて前記表示をする機能を有する。ここで前記表示とは、ナビ情報に基づく案内表示を指す。当手段は、ナビ情報取得部（０５１１）よりナビ情報を、制御状態情報取得部（０５０９）よりスタンバイ制御状態情報を含む制御状態情報を、入力として受け取る。当手段において、スタンバイ時に表示する案内表示データを生成し、表示装置により表示を行う。
【００４４】
<処理の流れ>
図６は、本実施例のリモコンシステムにおけるスタンバイ時の処理の流れの一例を表すフローチャートである。なお、以下に示すステップは、媒体に記録され計算機を制御するためのプログラムを構成する処理ステップであっても構わない。この図にあるように、まず、テレビ装置側において、スタンバイ状態か否かの判断を行う（ステップＳ０６０１）。スタンバイ状態であると判断されると、スタンバイ制御状態情報の生成を行い（ステップＳ０６０２）、次にナビ情報の生成処理（ステップＳ０６０３）を行う。一方、スタンバイ状態でないと判断されると、ナビ情報の生成処理（ステップＳ０６０３）を行う。そして、リモコン装置に生成した情報を送信する（ステップＳ０６０４）。これをリモコン装置側において受信する（ステップＳ０６０５）。受信した情報より、制御状態情報を取得（ステップＳ０６０６）し、ナビ情報を取得（ステップＳ０６０７）取得する。この後、取得した制御状態情報に応じ、スタンバイ制御情報とナビ情報とに基づいた案内を表示する（ステップＳ０６０８）。
【００４５】
<ハードウェア的構成>
図７は、上記機能的な各構成要件をハードウェアとして実現した際の、リモコンシステムにおける構成の一例を表す概略図である。この図を利用してリモコンシステムの案内表示処理におけるそれぞれのハードウェア構成部の働きについて説明する。この図にあるように、リモコンシステムは「リモコン装置」（０７０１）と「テレビ装置」（０７０２）からなる。リモコン装置（０７０１）は、「マイコン」（０７０３）と、「タッチパネル」（０７０４）と、「赤外線受光素子」（０７０５）とを備える。「マイコン」（０７０３）はチップ内に各種演算処理を行う「ＣＰＵ（中央演算装置）」（０７０６）と、「ＲＡＭ」（０７０７）と、「ＲＯＭ」（０７０８）とを有しており、相互に接続されている。「テレビ装置」（０７０２）は、リモコンとの通信を制御する「フロントマイコン」（０７１０）と、「赤外線発光素子」（０７１１）と、映像や音声などのデコードや各種機能の制御全般を行う「バックエンドＬＳＩ」（０７１２）と、それに接続された「ＲＡＭ」（０７１３）及び「ＲＯＭ」（０７１４）と、放送を受信する「チューナ」（０７１５）と、ドライバＬＳＩを介して接続された「ＬＣＤ（液晶ディスプレイ）」（０７１６）等を有している。「フロントマイコン」（０７１０）には、チップ内に「ＣＰＵ（中央演算装置）」（０７１７）と「ＲＡＭ」（０７１８）と「ＲＯＭ」（０７１９）とを有しており、相互に接続されている。
【００４６】
ここで、ＲＡＭ（０７１３）上にはバックエンドＬＳＩにおいて取得されたｋ個の要素について、現在の制御状態を表す変数Ｓ１…Ｓｋが格納されている。テレビ装置がスタンバイ状態に入ると、スタンバイ状態か否かを示す変数Ｓｓの値が変更される。更新された変数Ｓｓの値はフロントマイコン（０７１０）に出力され、チップ内のＲＡＭ（０７１８）の変数Ｖに格納される。するとＲＯＭ（０７１９）に格納されている規則によりＣＰＵ（０７１７）においてＶが評価され、制御状態情報データＣが生成される。一方、バックエンドＬＳＩより入力された映像情報やデータ情報は、バックエンドＬＳＩにより加工され、フロントマイコンに出力される。そしてナビ情報データを格納する変数Ｎの値としてＲＡＭ（０７１８）に格納される。ＮとＣはリモコン信号に変換され、赤外線発光素子（０７１１）よりリモコン装置（０７０１）の赤外線受光素子（０７０５）に対して送信される。送信された信号はリモコン装置（０７０１）のマイコン（０７０３）においてＣ，Ｎに復号化される。Ｃ，ＮはＲＯＭ（０７０８）に格納されている規則に従って、ＣＰＵ（０７０６）において評価され、スタンバイ時表示画面が生成される。これがタッチパネル（０７０４）に出力され、案内表示として表示される。
【００４７】
<効果の簡単な説明>
このように本実施例のリモコンシステムによって、リモコン装置はテレビ装置がスタンバイ状態か否かの情報を取得可能である。これにより、例えば、テレビがスタンバイ状態の時に、テレビ装置に蓄積された視聴履歴のＥＰＧ（Ｅｌｅｃｔｒｏｎｉｃ  Ｐｒｏｇｒａｍ  Ｇｕｉｄｅ）データなどからおすすめコンテンツを抽出し、そのコンテンツのタイトルや、番組情報などのデータをリモコン装置において表示する処理等を実行することができる。
【００４８】
≪実施例３≫
<概要>
本実施例のリモコンシステムは、上記実施例を基本として、ナビ情報に映像情報をも含めることの処理が可能なリモコンシステムである。本実施例のリモコンシステムにより、映像をサムネイル化してリモコンに表示したり、さらにそのサムネイル化した映像をリングファイルメタファのＧＵＩに埋め込んでリモコンに表示したりすることが可能である。これにより、リモコン装置においてより直感的な案内表示を生成することが可能である。
【００４９】
<機能的構成>
図８は、本実施例の映像処理装置における機能ブロックの一例を表す図である。この図にあるように、本実施例のリモコンシステムは、実施例１を基本として、「テレビ装置」（０８０１）と、「リモコン装置」（０８０２）とを有する。「テレビ装置」（０８０１）は、「制御部」（０８０３）と、「制御状態情報生成部」（０８０４）と、「テレビ側通信部」（０８０５）と、「視聴部」（０８０６）と、「ナビ情報生成部」（０８０７）とを有する。「リモコン装置」（０８０２）は、「リモコン側通信部」（０８０８）と、「制御状態情報取得部」（０８０９）と、「案内ウインドウ部」（０８１０）と、「ナビ情報取得部」（０８１１）とを有する。なお、これら構成要件については上記実施例にて既に記載済みであるのでその説明は省略する。そして、本実施例のリモコンシステムの特徴点は、「ナビ情報生成部」（０８０７）がさらに「ナビ映像情報生成手段」（０８１４）を有し、「案内ウインドウ部」（０８１０）がさらに「ナビ映像案内手段」（０８１５）を有する点である。
【００５０】
なお、ここで記載はしていないが、「テレビ装置」（０８０１）の「制御状態情報生成部」（０８０４）が「スタンバイ制御状態情報生成手段」を、「リモコン装置」（０８０２）の「案内ウインドウ部」（０８１０）が「スタンバイ時案内ウインドウ手段」を有する構成でもよい。
【００５１】
「ナビ映像情報生成手段」（０８１４）は、ナビ情報として視聴可能なコンテンツの映像情報であるナビ映像情報を生成する機能を有する。具体的には、視聴可能なコンテンツの映像データを視聴部（０８０６）より取得し、ナビ情報として利用可能な形式に変換することを指す。「視聴可能なコンテンツ」とは、テレビ放送の各チャンネルや、ＤＶＤレコーダ等に蓄積された録画映像、ネットワークを介して取得可能なＶＯＤコンテンツ等の、テレビ装置がその有する機能により取得及び表示可能なコンテンツの一部または全てを指す。「ナビ映像情報」とは、上記コンテンツが持つ動画情報そのものはもとより、静止画化したものや、静止画をスライドショー化したもの、拡大縮小を行ったもの等が含まれる。生成されたナビ映像情報は、テレビ側通信部（０８０５）を介して、リモコン装置（０８０２）に送られる。
【００５２】
「ナビ映像案内手段」（０８１５）は、ナビ情報取得部が取得したナビ情報であるナビ映像情報に基づいて案内としてナビ映像を表示する機能を有する。具体的には、制御状態情報取得部（０８０９）より制御状態情報を、ナビ情報取得部（０８１１）よりナビ映像情報を入力として取得し、ナビ映像情報を案内表示画面に変換して表示するといった機能を有する。ここで、「案内として」とは、ナビ映像情報を適宜案内表示に供する形に加工する場合があることを意味する。
【００５３】
<処理の流れ>
図９は、本実施例のリモコンシステムにおける処理の流れの一例を表すフローチャートである。なお、以下に示すステップは、媒体に記録され計算機を制御するためのプログラムを構成する処理ステップであっても構わない。この図にあるように、まず、テレビ装置側において、制御状態情報を生成する（ステップＳ０９０１）。次にナビ映像情報を生成する（ステップＳ０９０２）。そして、リモコン装置に生成した情報を送信する（ステップＳ０９０３）。これをリモコン装置側において受信する（ステップＳ０９０４）。受信した情報より、制御状態情報を取得（ステップＳ０９０５）し、ナビ情報を取得（ステップＳ０９０６）取得する。この後、取得した制御状態情報に応じ、ナビ映像情報に基づいて案内としてナビ映像を表示する（ステップＳ０９０７）。
【００５４】
<ハードウェア的構成>
図１０は、上記機能的な各構成要件をハードウェアとして実現した際の、リモコンシステムにおける構成の一例を表す概略図である。この図を利用してリモコンシステムの案内表示処理におけるそれぞれのハードウェア構成部の働きについて説明する。この図にあるように、リモコンシステムは「リモコン装置」（１００１）と「テレビ装置」（１００２）からなる。リモコン装置（１００１）は、「マイコン」（１００３）と、「タッチパネル」（１００４）と、「赤外線受光素子」（１００５）とを備える。「マイコン」（１００３）はチップ内に各種演算処理を行う「ＣＰＵ（中央演算装置）」（１００６）と、「ＲＡＭ」（１００７）と、「ＲＯＭ」（１００８）とを有しており、相互に接続されている。「テレビ装置」（１００２）は、リモコンとの通信を制御する「フロントマイコン」（１０１０）と、「赤外線発光素子」（１０１１）と、映像や音声などのデコードや各種機能の制御全般を行う「バックエンドＬＳＩ」（１０１２）と、それに接続された「ＲＡＭ」（１０１３）及び「ＲＯＭ」（１０１４）と、放送を受信する「チューナ」（１０１５）と、ドライバＬＳＩを介して接続された「ＬＣＤ（液晶ディスプレイ）」（１０１６）等を有している。「フロントマイコン」（１０１０）には、チップ内に「ＣＰＵ（中央演算装置）」（１０１７）と「ＲＡＭ」（１０１８）と「ＲＯＭ」（１０１９）とを有しており、相互に接続されている。
【００５５】
ここで、リモコンシステム内の制御状態情報が変化すると、状態変化を示す値がチップ内のＲＡＭ（１０１８）の変数Ｖに格納される。するとＲＯＭ（１０１９）に格納されている規則によりＣＰＵ（１０１７）においてＶが評価され、制御状態情報データＣが生成される。一方、ＲＡＭ（１０１３）にはコンテンツ映像情報が蓄積されており、これらの映像情報は、バックエンドＬＳＩにより加工され、フロントマイコンに出力される。そして、フロントマイコン（１０１０）においてナビ情報データを格納する変数Ｎｖの値としてＲＡＭ（１０１８）に格納される。ＮとＣはリモコン信号に変換され、赤外線発光素子（１０１１）よりリモコン装置（１００１）の赤外線受光素子（１００５）に対して送信される。送信された信号はリモコン装置（１００１）のマイコン（１００３）においてＣ，Ｎｖに復号化される。Ｃ，ＮｖはＲＯＭ（１００８）に格納されている規則に従って、ＣＰＵ（１００６）において評価され、表示画面が生成される。これがタッチパネル（１００４）に出力され、案内表示として表示される。
【００５６】
<効果の簡単な説明>
このように、本実施例のリモコンシステムにおいて、リモコン装置はテレビ装置から映像情報を取得し、これに基づいて案内情報を表示することが可能となる。これにより、例えば、テレビ装置であるチャンネルを視聴中に裏番組のチャンネルの映像を取得してリモコン装置で表示したり、あるコンテンツを視聴中に関連するコンテンツの映像情報を表示したりすることが可能である。
【００５７】
≪実施例４≫
<概要>
本実施例のリモコンシステムでは、上記実施例で説明したリモコンシステムの処理に加え、テレビ装置の状態が通常操作可能制御状態に移行した場合に、通常操作可能制御状態を示す情報を取得可能である。これをナビ情報と共にリモコン装置に送信することで、リモコン装置による案内情報の表示を停止する処理が可能となる。このような処理により、テレビ装置がスタンバイ状態から復帰した際などに、コンテンツの案内表示の主体をリモコン装置からテレビ装置へと円滑に移行させることが可能である。
【００５８】
<機能的構成>
図１１は、本実施例のリモコンシステムにおける機能ブロックの一例を表す図である。この図にあるように、本実施例のリモコンシステムは、実施例２のリモコンシステムを基本として、「テレビ装置」（１１０１）と、「リモコン装置」（１１０２）とを有する。「テレビ装置」（１１０１）は、「制御部」（１１０３）と、「制御状態情報生成部」（１１０４）と、「テレビ側通信部」（１１０５）と、「視聴部」（１１０６）と、「ナビ情報生成部」（１１０７）とを有する。「制御状態情報生成部」（１１０４）はさらに「スタンバイ制御状態情報生成手段」（１１１２）を有する。「リモコン装置」（１１０２）は、「リモコン側通信部」（１１０８）と、「制御状態情報取得部」（１１０９）と、「案内ウインドウ部」（１１１０）と、「ナビ情報取得部」（１１１１）とを有する。「案内ウインドウ部」（１１１０）はさらに「スタンバイ時案内ウインドウ手段」（１１１３）を有する。なお、これら構成要件については上記実施例にて既に記載済みであるのでその説明は省略する。本実施例のリモコンシステムは、「テレビ装置」（１１０１）の「制御状態情報生成部」（１１０４）が「通常操作可能制御状態情報生成手段」（１１１６）を、「リモコン装置」（１１０２）の「案内ウインドウ部」（１１１０）が「停止手段」（１１１７）を新たに有する。
【００５９】
「通常操作可能制御状態情報生成手段」（１１１６）は、制御状態情報として通常操作可能制御状態を示す通常操作可能制御状態情報を生成する機能を有する。「通常操作可能制御状態」とは、テレビ装置（１１０１）より少なくとも映像または音声が出力されており、リモコン装置によりテレビ装置を操作できる状態を指す。当手段は「制御状態情報生成部」（１１０４）において、制御部（１１０３）等より、テレビ装置（１１０１）の状態を入力として取得し、その状態が上記の通常操作可能制御状態であれば通常操作可能制御状態情報を生成する。この情報は、テレビ側通信部（１１０５）を介してリモコン装置（１１０２）に対して送られる。
【００６０】
「停止手段」（１１１７）は、制御状態情報として取得した通常操作可能制御状態情報に基づいて前記スタンバイ時案内ウインドウ手段による表示を停止する機能を有する。「停止」とは、スタンバイ時案内ウインドウ手段（１１１３）による表示を停止するものであり、他の機能については表示を行っている状態を含む。例えば、案内ウインドウ部（１１１０）による案内表示のうち時計を示す表示があった場合に、これがスタンバイ時以外にも表示がされている場合には当該表示を行ったままである。当手段は制御状態情報取得部（１１０９）から制御状態情報を取得し、これが通常操作可能制御状態への移行を示す物であった場合には、スタンバイ時案内ウインドウ手段（１１１３）に通知信号の出力を行う。
【００６１】
<処理の流れ>
図１２は、本実施例のリモコンシステムにおける処理の流れの一例を表すフローチャートである。なお、以下に示すステップは、媒体に記録され計算機を制御するためのプログラムを構成する処理ステップであっても構わない。この図にあるように、まず、テレビ装置側において、通常操作可能制御状態か否かの判断を行う（ステップＳ１２０１）。通常操作可能制御状態でないと判断されると、通常操作可能制御状態か否かの判断を行う処理（ステップＳ１２０１）を繰り返す。一方、通常操作可能制御状態であると判断されると、通常操作可能制御状態情報の生成を行う（ステップＳ１２０２）。その後、リモコン装置に生成した情報を送信する（ステップＳ１２０３）。これをリモコン装置側において受信する（ステップＳ１２０４）。受信した情報より、制御状態情報を取得（ステップＳ１２０５）取得する。この後、取得した制御状態情報に応じ、通常操作可能制御状態情報に基づいて表示を停止する（ステップＳ１２０６）。
【００６２】
<ハードウェア的構成>
図１３は、上記機能的な各構成要件をハードウェアとして実現した際の、リモコンシステムにおける構成の一例を表す概略図である。この図を利用してリモコンシステムの案内表示処理におけるそれぞれのハードウェア構成部の働きについて説明する。この図にあるように、リモコンシステムは「リモコン装置」（１３０１）と「テレビ装置」（１３０２）からなる。リモコン装置（１３０１）は、「マイコン」（１３０３）と、「タッチパネル」（１３０４）と、「赤外線受光素子」（１３０５）とを備える。「マイコン」（１３０３）はチップ内に各種演算処理を行う「ＣＰＵ（中央演算装置）」（１３０６）と、「ＲＡＭ」（１３０７）と、「ＲＯＭ」（１３０８）とを有しており、相互に接続されている。「テレビ装置」（１３０２）は、リモコンとの通信を制御する「フロントマイコン」（１３１０）と、「赤外線発光素子」（１３１１）と、映像や音声などのデコードや各種機能の制御全般を行う「バックエンドＬＳＩ」（１３１２）と、それに接続された「ＲＡＭ」（１３１３）及び「ＲＯＭ」（１３１４）と、放送を受信する「チューナ」（１３１５）と、ドライバＬＳＩを介して接続された「ＬＣＤ（液晶ディスプレイ）」（１３１６）等を有している。「フロントマイコン」（１３１０）には、チップ内に「ＣＰＵ（中央演算装置）」（１３１７）と「ＲＡＭ」（１３１８）と「ＲＯＭ」（１３１９）とを有しており、相互に接続されている。
【００６３】
テレビ装置が通常操作可能制御状態に入ると、スタンバイ通常操作可能制御状態か否かを示す変数Ｓｐの値が変更される。更新された変数Ｓｐの値はフロントマイコン（１３１０）に出力され、チップ内のＲＡＭ（１３１８）の変数Ｖに格納される。するとＲＯＭ（１３１９）に格納されている規則によりＣＰＵ（１３１７）においてＶが評価され、制御状態情報データＣが生成される。Ｃはリモコン信号に変換され、赤外線発光素子（１３１１）よりリモコン装置（１３０１）の赤外線受光素子（１３０５）に対して送信される。送信された信号はリモコン装置（１３０１）のマイコン（１３０３）においてＣ，Ｎに復号化される。ＣはＲＯＭ（１３０８）に格納されている規則に従って、ＣＰＵ（１３０６）において評価され、タッチパネル（１３０４）におけるスタンバイ時案内表示が停止される。
【００６４】
<効果の簡単な説明>
このように、本実施例のリモコンシステムでは、上記実施例で説明したリモコンシステムの処理に加え、テレビ装置の状態が通常操作可能制御状態に移行した場合に、通常操作可能制御状態を示す情報を取得可能である。これをナビ情報と共にリモコン装置に送信することで、リモコン装置による案内情報の表示を停止する処理が可能となる。このような処理により、テレビ装置がスタンバイ状態から復帰した際などに、コンテンツの案内表示の主体をリモコン装置からテレビ装置へと円滑に移行させることが可能である。
【００６５】
≪実施例５≫
<概要>
図１４は、リモコン装置とテレビ装置との動作を示す概念図であり、本実施例のリモコンシステムによる処理の一例を説明するための図である。この図にあるように、タッチパネルにより動作するリモコン装置（１４０２）がコンテンツ操作を受け付けている。テレビ装置（１４０１）は現在スタンバイ中であり、映像及び音声は出力されていない。ここで、テレビ装置（１４０１）は、制御状態情報として、スタンバイ状態であるとの制御状態情報（１４０３）をリモコン装置（１４０２）へ送信している。リモコン装置（１４０２）の画面ではリングファイル状に並べられているコンテンツ選択アイコンを利用者が指で画面上を右側に滑らせる動作を行うことにより、コンテンツ選択のための検索を行っている。リモコン装置からは「右方向へスクロール」と操作信号（１４０４）がテレビ装置（１４０１）に対して出力されている。
【００６６】
このように本発明のリモコンシステムは、テレビ装置（１４０１）において、制御状態情報（１４０３）などを生成し、リモコン装置（１４０２）へ送信することが可能である。また、リモコン装置（１４０２）においては、受信した情報（１４０３）に応じ操作を受け付け、操作信号を生成し、テレビ装置（１４０１）に対して出力を行う処理が可能である。このため、リモコン装置（１４０２）は、コンテンツ選択の状態である場合や、スタンバイ状態である場合等それぞれに最適な操作モードを提供し、受け付けられた操作を操作信号へと生成してテレビ装置へ送信することが可能である。従って、大量のコンテンツや機能の中から目的の情報を検索する場面において特に利便性の向上が期待できる。
【００６７】
<機能的構成>
図１５は、本実施例のリモコンシステムにおける機能ブロックの一例を表す図である。この図にあるように、本実施例のリモコンシステムは、「テレビ装置」（１５０１）と、「リモコン装置」（１５０２）とを有する。「テレビ装置」（１５０１）は、「制御部」（１５０３）と、「制御状態情報生成部」（１５０４）と、「テレビ側通信部」（１５０５）と、「視聴部」（１５０６）とを有する。「リモコン装置」（１５０２）は、「リモコン側通信部」（１５０８）と、「制御状態情報取得部」（１５０９）と、「操作情報取得部」（１５１８）と、「操作信号生成部」（１５１９）とを有する。なお、「テレビ装置」（１５０１）における、「制御部」（１５０３）と、「制御状態情報生成部」（１５０４）と、「テレビ側通信部」（１５０５）と、「視聴部」（１５０６）と、「リモコン装置」（１５０２）における、「リモコン側通信部」（１５０８）と、「制御状態情報取得部」（１５０９）は上記実施例で記載済みであるので、説明は省略する。本実施例における特徴点は、「リモコン装置」（１５０２）が、「操作情報取得部」（１５１８）と、「操作信号生成部」（１５１９）とを有する点である。
【００６８】
「操作情報取得部」（１５１８）は、リモコン装置（１５０２）において、テレビ装置を操作するためのユーザからの操作情報を取得する機能を有する。「操作情報」とは、リモコン装置（１５０２）において受け付けられる操作入力の情報であり、ボタンやダイヤル、タッチパネル等のハードウェアデバイスによって検出され、電気信号に変換された情報を指す。取得された操作情報は後述する操作信号生成部（１５１９）に対して出力される。操作入力デバイスの種類についてはリモコンが装備可能なものならばどのようなものでもよい。
【００６９】
「操作信号生成部」（１５１９）は、リモコン装置（１５０２）において、制御状態情報と、操作情報と、に基づいてテレビ装置に送信するための操作信号を生成する機能を有する。「操作信号」とは、テレビ装置（１５０１）に対して送信される、テレビ装置（１５０１）を制御するための信号である。当部は、制御状態情報取得部（１５０９）より入力された制御状態情報に基づいて、操作情報取得部（１５１８）より入力された操作情報を、操作信号へと変換する。これにより、制御状態情報を反映した操作信号の生成が可能である。
【００７０】
<処理の流れ>
図１６は、本実施例のリモコンシステムにおける処理の流れの一例を表すフローチャートである。なお、以下に示すステップは、媒体に記録され計算機を制御するためのプログラムを構成する処理ステップであっても構わない。この図にあるように、まず、テレビ装置側において、制御状態情報を生成する（ステップＳ１６０１）。次に、リモコン装置に生成した情報を送信する（ステップＳ１６０２）。これをリモコン装置側において受信する（ステップＳ１６０３）。受信した情報より、制御状態情報を取得（ステップＳ１６０４）する。この後、操作情報の取得を行い（ステップS１６０５）、操作信号の生成を行う（ステップＳ１６０６）。次いで、テレビ装置へ操作信号の送信を行い（ステップＳ１６０７）、テレビ装置側において、リモコン装置から操作信号の受信を行う（ステップＳ１６０８）。
【００７１】
<ハードウェア的構成>
図１７は、上記機能的な各構成要件をハードウェアとして実現した際の、リモコンシステムにおける構成の一例を表す概略図である。この図を利用してリモコンシステムの案内表示処理におけるそれぞれのハードウェア構成部の働きについて説明する。この図にあるように、リモコンシステムは「リモコン装置」（１７０１）と「テレビ装置」（１７０２）からなる。リモコン装置（１７０１）は、「マイコン」（１７０３）と、「タッチパネル」（１７０４）と、「赤外線受発光素子」（１７０５）とを備える。「マイコン」（１７０３）はチップ内に各種演算処理を行う「ＣＰＵ（中央演算装置）」（１７０６）と、「ＲＡＭ」（１７０７）と、「ＲＯＭ」（１７０８）とを有しており、相互に接続されている。「テレビ装置」（１７０２）は、リモコンとの通信を制御する「フロントマイコン」（１７１０）と、「赤外線受発光素子」（１７１１）と、映像や音声などのデコードや各種機能の制御全般を行う「バックエンドＬＳＩ」（１７１２）と、それに接続された「ＲＡＭ」（１７１３）及び「ＲＯＭ」（１７１４）と、放送を受信する「チューナ」（１７１５）と、ドライバＬＳＩを介して接続された「ＬＣＤ（液晶ディスプレイ）」（１７１６）等を有している。「フロントマイコン」（１７１０）には、チップ内に「ＣＰＵ（中央演算装置）」（１７１７）と「ＲＡＭ」（１７１８）と「ＲＯＭ」（１７１９）とを有しており、相互に接続されている。
【００７２】
ここで、テレビ装置（１７０２）でコンテンツ選択画面が呼び出されたとする。するとバックエンドＬＳＩ（１７１２）より、ＲＡＭ（１７１３）上に保持されているコンテンツ選択画面表示を示す制御状態情報変数Ｓｄの値が変更される。すると、更新された変数Ｓｄの値はフロントマイコン（１７１０）に出力され、チップ内のＲＡＭ（１７１８）の変数Ｖに格納される。するとＲＯＭ（１７１９）に格納されている規則によりＣＰＵ（１７１７）においてＶが評価され、制御状態情報データＣ１が生成される。Ｃ１はリモコン信号に変換され、赤外線受発光素子（１７１１）よりリモコン装置（１７０１）の赤外線受発光素子（１７０５）に対して送信される。送信された信号はリモコン装置（１７０１）のマイコン（１７０３）においてＣ１に復号化される。一方タッチパネル（１７０４）では、操作入力が受け付けられ、所定の信号がＣＰＵ（１７０６）に対して送られる。すると、Ｃ１はＲＯＭ（１７０８）に格納されている規則に従って、ＣＰＵ（１７０６）において評価され、入力された操作信号を変換し、操作信号情報Ｃ２を生成する。Ｃ２はリモコン装置（１７０１）とテレビ装置（１７０２）の赤外線受発光素子を介してフロントマイコン（１７１０）で評価され、「バックエンドＬＳＩ」（１７１２）などに送られる制御信号となる。当該制御信号は操作信号情報に基づいて各機器の状態を変更する。
【００７３】
<効果の簡単な説明>
以上のように本実施例のリモコンシステムによって、テレビ装置側の状態に応じてリモコン装置側の操作系を柔軟に変化することが可能となる。その結果、効率的で利便性の高いコンテンツ等の検索および選択操作が可能となる。
【００７４】
≪実施例６≫
<概要>
本実施例のリモコンシステムでは、上記実施例で説明したリモコンシステムの処理に加え、リモコン装置において、操作信号生成のためのルールが保持可能である。このルールと制御状態情報を用いて受け付けた操作信号を生成することが可能である。これにより、選択するコンテンツのナビゲーションの種類に合わせた操作信号の生成が可能である。例えば、タッチパネルのようなデバイスでコンテンツの選択操作をする場合において、映像のサムネイルを縦横のカーソル移動により選択するナビゲーション画面では縦横方向の操作に対し操作入力を受け付け、操作信号の生成が可能である。一方、リングファイルメタファによる映像の選択操作では、選択対象が円形に配置されているので、回転方向の操作に対し操作入力を受け付け、操作信号の生成が可能である。
【００７５】
<機能的構成>
図１８は、本実施例のリモコンシステムにおける機能ブロックの一例を表す図である。この図にあるように、本実施例のリモコンシステムは、「テレビ装置」（１８０１）と、「リモコン装置」（１８０２）とを有する。「テレビ装置」（１８０１）は、「制御部」（１８０３）と、「制御状態情報生成部」（１８０４）と、「テレビ側通信部」（１８０５）と、「視聴部」（１８０６）とを有する。「リモコン装置」（１８０２）は、「リモコン側通信部」（１８０８）と、「制御状態情報取得部」（１８０９）と、「操作情報取得部」（１８１８）と、「操作信号生成部」（１８１９）とを有する。なお、これら構成要件については上記実施例にて既に記載済みであるのでその説明は省略する。本実施例における特徴点は、「リモコン装置」（１８０２）が、「ルール保持部」（１８２０）と、「操作信号生成部」（１８１９）が、「ルール依存生成手段」（１８２１）とを有する点である。
【００７６】
「ルール保持部」（１８２０）は、リモコン装置（１８０２）において、制御状態情報に基づいて操作信号を生成するためのルールを保持する機能を有する。「ルール」とは、操作情報を操作信号に変換する上の規則である。例えば、上記に述べたような、コンテンツ選択画面において、縦横のカーソル移動の画面では操作情報を直交系の座標で解釈するルールを適用し、リングファイルメタファの画面では回転系の座標にて解釈するルールを適用するといったことが考えられる。
【００７７】
「ルール依存生成手段」（１８２１）は、リモコン装置（１８０２）において、保持されている前記ルールに従って操作信号を生成する機能を有する。具体的には、ルール保持部（１８２０）に保持されているルールの条件を、操作情報取得部（１８１８）より入力される操作情報に対して適用することで操作信号を生成する。
【００７８】
<処理の流れ>
図１９は、本実施例のリモコンシステムにおけるリモコン装置側の処理の流れの一例を表すフローチャートである。なお、以下に示すステップは、媒体に記録され計算機を制御するためのプログラムを構成する処理ステップであっても構わない。この図にあるように、まずテレビ装置から情報を受信する（ステップＳ１９０１）と、制御状態情報の取得（ステップＳ１９０２）を行う。次に操作情報の取得を行い（ステップＳ１９０３）、保持されているルールに基づいた操作信号の生成を行う（ステップＳ１９０４）。その後、テレビ装置へ操作信号を送信する（ステップＳ１９０５）。
【００７９】
<ハードウェア的構成>
図２０は、上記機能的な各構成要件をハードウェアとして実現した際の、リモコンシステムにおける構成の一例を表す概略図である。この図を利用してリモコンシステムの案内表示処理におけるそれぞれのハードウェア構成部の働きについて説明する。この図にあるように、リモコンシステムは「リモコン装置」（２００１）と「テレビ装置」（２００２）からなる。リモコン装置（２００１）は、「マイコン」（２００３）と、「タッチパネル」（２００４）と、「赤外線受発光素子」（２００５）とを備える。「マイコン」（２００３）はチップ内に各種演算処理を行う「ＣＰＵ（中央演算装置）」（２００６）と、「ＲＡＭ」（２００７）と、「ＲＯＭ」（２００８）とを有しており、相互に接続されている。「テレビ装置」（２００２）は、リモコンとの通信を制御する「フロントマイコン」（２０１０）と、「赤外線受発光素子」（２０１１）と、映像や音声などのデコードや各種機能の制御全般を行う「バックエンドＬＳＩ」（２０１２）と、それに接続された「ＲＡＭ」（２０１３）及び「ＲＯＭ」（２０１４）と、放送を受信する「チューナ」（２０１５）と、ドライバＬＳＩを介して接続された「ＬＣＤ（液晶ディスプレイ）」（２０１６）等を有している。「フロントマイコン」（２０１０）には、チップ内に「ＣＰＵ（中央演算装置）」（２０１７）と「ＲＡＭ」（２０１８）と「ＲＯＭ」（２０１９）とを有しており、相互に接続されている。
【００８０】
ここで、テレビ装置（２００２）でコンテンツ選択画面が呼び出されたとする。すると、テレビ装置のフロントマイコン（２０１０）おいて、制御状態情報データＣ３が生成される。Ｃ３はリモコン信号に変換され、赤外線受発光素子（２０１１）よりリモコン装置（２００１）の赤外線受発光素子（２００５）に対して送信される。送信された信号はリモコン装置（２００１）のマイコン（２００３）においてＣ３に復号化される。一方タッチパネル（２００４）では、操作入力が受け付けられ、所定の信号がＣＰＵ（２００６）に対して送られる。すると、Ｃ３はＲＯＭ（２００８）に格納されている規則Ｒに従って、ＣＰＵ（２００６）において評価され、入力された操作信号を変換し、操作信号情報Ｃ４を生成する。Ｃ４はリモコン装置（２００１）とテレビ装置（２００２）の赤外線受発光素子を介してフロントマイコン（２０１０）で評価され、「バックエンドＬＳＩ」（２０１２）などに送られる制御信号となる。当該制御信号は操作信号情報に基づいて各機器の状態を変更する。
【００８１】
<効果の簡単な説明>
以上のように本実施例のリモコンシステムによって、リモコン装置は、さらに当該装置に保持された操作信号生成ルールに基づいて、テレビ装置に対して操作信号を送信することが可能である。これにより、コンテンツ等の選択場面において、制御状態情報に含まれたナビゲーションのモード（例えば二次元のナビゲーションや、円座標系のナビゲーション）等に応じて最適な操作を受け付けるように入力デバイスなどを制御する処理が可能である。
【００８２】
≪実施例７≫
<概要>
本実施例のリモコンシステムでは、上記実施例で説明したリモコンシステムの処理に加え、テレビ装置において選択するコンテンツの量を取得可能であり、これをリモコン装置へ制御状態情報として送信する処理が可能である。リモコン装置では、コンテンツの量に応じて、操作信号を生成する処理が可能である。このような処理により、コンテンツ選択のナビゲーションにおいて、検索対象のコンテンツ量が非常に多い場合には操作入力に対する、検索対象のコンテンツのスキャンの量を多くするなどの処理が可能となる。すると、利用者はコンテンツの量に適した速度で情報検索を行うことができるため利便性が向上する。
【００８３】
<機能的構成>
図２１は、本実施例のリモコンシステムにおける機能ブロックの一例を表す図である。この図にあるように、本実施例のリモコンシステムは、「テレビ装置」（２１０１）と、「リモコン装置」（２１０２）とを有する。「テレビ装置」（２１０１）は、「制御部」（２１０３）と、「制御状態情報生成部」（２１０４）と、「テレビ側通信部」（２１０５）と、「視聴部」（２１０６）とを有する。「リモコン装置」（２１０２）は、「リモコン側通信部」（２１０８）と、「制御状態情報取得部」（２１０９）と、「操作情報取得部」（２１１８）と、「操作信号生成部」（２１１９）とを有する。なお、これら構成要件については上記実施例にて既に記載済みであるのでその説明は省略する。本実施例における特徴点は、「テレビ装置」（２１０１）が、「コンテンツ量情報取得部」（２１２２）と、「リモコン装置」（２１０２）の「操作信号生成部」（２１１９）が、「コンテンツ量依存生成手段」（２１２３）とを有する点である。
【００８４】
「コンテンツ量情報取得部」（２１２２）は、テレビ装置（２１０１）において、リモコン装置に送信するために、視聴可能なコンテンツの量を示す情報であるコンテンツ量情報を取得する機能を有する。「コンテンツ量」とはコンテンツ選択画面における選択対象の量のことである。また、必ずしも選択対象そのものの数だけでなく、画面に対する選択対象のコンテンツの密度などであってもよい。「コンテンツ」は上述したように媒体に記録された物に限らず、機能選択画面などの選択対象である個々の機能なども含まれる。「コンテンツ量情報」は制御状態情報生成部（２１０４）において制御状態情報に包含され、テレビ側通信部（２１０５）を介してリモコン装置（２１０２）へ送られる。
【００８５】
「コンテンツ量依存生成手段」（２１２３）は、リモコン装置（２１０２）において、取得したコンテンツ量情報に応じて操作信号を生成するための機能を有する。「コンテンツ量に応じて操作信号を生成」とは、操作情報取得部より入力される操作情報から操作信号を生成する際に、コンテンツ量に応じたバイアスを生じさせるといった意味である。例えば、横にカーソルを移動させてコンテンツを選択させるナビゲーション画面では、コンテンツが増えると高速でカーソルを移動する必要がある。このため、操作情報として右側に1単位の入力が合った場合にはこれを増幅して10単位分とするなどの処理が考えられる。また、一画面に高密度にコンテンツの選択肢が並んでいる場合には、画面空間内でのカーソル移動操作がデリケートになるために、デフォルト値であれば3単位の操作情報の入力があれば一単位移動の操作信号を生成するのに対して、誤操作を防ぐために5単位の操作情報の入力を必要とするなどの処理が考えられる。
【００８６】
<処理の流れ>
図２２は、本実施例のリモコンシステムにおける処理の流れの一例を表すフローチャートである。なお、以下に示すステップは、媒体に記録され計算機を制御するためのプログラムを構成する処理ステップであっても構わない。この図にあるように、まずコンテンツ量情報の取得を行う（ステップＳ２２０１）。次に制御状態情報の生成を行う（ステップＳ２２０２）。次いでリモコン装置に情報を送信する（Ｓ２２０３）。リモコン装置側ではテレビ装置からの情報を受信する（ステップＳ２２０４）と、制御状態情報の取得（ステップＳ２２０５）を行う。操作情報の取得（ステップＳ２２０６）の後、コンテンツ量情報に応じた操作信号の生成を行い（ステップＳ２２０７）、テレビ装置へ操作信号を送信する（ステップＳ２２０８）。テレビ装置側ではこれを受信する（ステップＳ２２０９）。
【００８７】
<ハードウェア的構成>
図２３は、上記機能的な各構成要件をハードウェアとして実現した際の、リモコンシステムにおける構成の一例を表す概略図である。この図を利用してリモコンシステムの案内表示処理におけるそれぞれのハードウェア構成部の働きについて説明する。この図にあるように、リモコンシステムは「リモコン装置」（２３０１）と「テレビ装置」（２３０２）からなる。リモコン装置（２３０１）は、「マイコン」（２３０３）と、「タッチパネル」（２３０４）と、「赤外線受発光素子」（２３０５）とを備える。「マイコン」（２３０３）はチップ内に各種演算処理を行う「ＣＰＵ（中央演算装置）」（２３０６）と、「ＲＡＭ」（２３０７）と、「ＲＯＭ」（２３０８）とを有しており、相互に接続されている。「テレビ装置」（２３０２）は、リモコンとの通信を制御する「フロントマイコン」（２３１０）と、「赤外線受発光素子」（２３１１）と、映像や音声などのデコードや各種機能の制御全般を行う「バックエンドＬＳＩ」（２３１２）と、それに接続された「ＲＡＭ」（２３１３）及び「ＲＯＭ」（２３１４）と、放送を受信する「チューナ」（２３１５）と、ドライバＬＳＩを介して接続された「ＬＣＤ（液晶ディスプレイ）」（２３１６）等を有している。「フロントマイコン」（２３１０）には、チップ内に「ＣＰＵ（中央演算装置）」（２３１７）と「ＲＡＭ」（２３１８）と「ＲＯＭ」（２３１９）とを有しており、相互に接続されている。
【００８８】
ここで、テレビ装置（２３０２）でコンテンツ選択画面が呼び出されたとする。するとバックエンドＬＳＩ（２３１２）より、ＲＡＭ（２３１３）上に保持されているコンテンツ選択画面表示を示す制御状態情報変数Ｓｄの値が変更される。すると、更新された変数Ｓｄの値と、選択するコンテンツの量を示すＮが取得されフロントマイコン（２３１０）に出力される。フロントマイコン（２３１０）では、これらの値がチップ内のＲＡＭ（２３１８）の変数Ｖに格納される。するとＲＯＭ（２３１９）に格納されている規則によりＣＰＵ（２３１７）においてＶが評価され、制御状態情報データＣ５が生成される。Ｃ５はリモコン信号に変換され、赤外線受発光素子（２３１１）よりリモコン装置（２３０１）の赤外線受発光素子（２３０５）に対して送信される。送信された信号はリモコン装置（２３０１）のマイコン（２３０３）においてＣ５に復号化される。一方タッチパネル（２３０４）では、操作入力が受け付けられ、所定の信号がＣＰＵ（２３０６）に対して送られる。すると、Ｃ５はＲＯＭ（２３０８）に格納されている規則とコンテンツ量を表す値Ｎに従って、ＣＰＵ（２３０６）において評価され、入力された操作信号を変換し、操作信号情報Ｃ６を生成する。Ｃ６はリモコン装置（２３０１）とテレビ装置（２３０２）の赤外線受発光素子を介してフロントマイコン（２３１０）で評価され、「バックエンドＬＳＩ」（２３１２）などに送られる制御信号となる。当該制御信号は操作信号情報に基づいて各機器の状態を変更する。
【００８９】
<効果の簡単な説明>
以上のように本実施例のリモコンシステムによって、リモコン装置がテレビ装置の取得したコンテンツ量情報を取得し、これに応じて、操作信号の生成が可能である。これにより、コンテンツの量に応じて、一操作に対する移動量をより多くする処理などが可能である。その結果、迅速で利便性の高い検索および選択処理が可能である。
【図面の簡単な説明】
【００９０】
【図１】実施例１のリモコンシステムによる処理の一例を説明するための図
【図２】実施例１のリモコンシステムにおける機能ブロックの一例を表す図
【図３】実施例１のリモコンシステムにおける処理の流れの一例を表すフローチャート
【図４】実施例１のリモコンシステムにおけるハードウェア構成の一例を表す概略図
【図５】実施例２のリモコンシステムにおける機能ブロックの一例を表す図
【図６】実施例２のリモコンシステムにおける処理の流れの一例を表すフローチャート
【図７】実施例２のリモコンシステムにおけるハードウェア構成の一例を表す概略図
【図８】実施例３のリモコンシステムにおける機能ブロックの一例を表す図
【図９】実施例３のリモコンシステムにおける処理の流れの一例を表すフローチャート
【図１０】実施例３のリモコンシステムにおけるハードウェア構成の一例を表す概略図
【図１１】実施例４のリモコンシステムにおける機能ブロックの一例を表す図
【図１２】実施例４のリモコンシステムにおける処理の流れの一例を表すフローチャート
【図１３】実施例４のリモコンシステムにおけるハードウェア構成の一例を表す概略図
【図１４】実施例５のリモコンシステムによる処理の一例を説明するための図
【図１５】実施例５のリモコンシステムにおける機能ブロックの一例を表す図
【図１６】実施例５のリモコンシステムにおける処理の流れの一例を表すフローチャート
【図１７】実施例５のリモコンシステムにおけるハードウェア構成の一例を表す概略図
【図１８】実施例６のリモコンシステムにおける機能ブロックの一例を表す図
【図１９】実施例６のリモコンシステムにおける処理の流れの一例を表すフローチャート
【図２０】実施例６のリモコンシステムにおけるハードウェア構成の一例を表す概略図
【図２１】実施例７のリモコンシステムにおける機能ブロックの一例を表す図
【図２２】実施例７のリモコンシステムにおける処理の流れの一例を表すフローチャート
【図２３】実施例７のリモコンシステムにおけるハードウェア構成の一例を表す概略図
【符号の説明】
【００９１】
０２０１  テレビ装置
０２０２  リモコン装置
０２０３  制御部
０２０４  制御状態生成部
０２０５  テレビ側通信部
０２０６  視聴部
０２０８  リモコン側通信部
０２０９  制御状態情報取得部
【図１】
2010147550.tif 000003
【図２】
2010147550.tif 000004
【図３】
2010147550.tif 000005
【図４】
2010147550.tif 000006
【図５】
2010147550.tif 000007
【図６】
2010147550.tif 000008
【図７】
2010147550.tif 000009
【図８】
2010147550.tif 000010
【図９】
2010147550.tif 000011
【図１０】
2010147550.tif 000012
【図１１】
2010147550.tif 000013
【図１２】
2010147550.tif 000014
【図１３】
2010147550.tif 000015
【図１４】
2010147550.tif 000016
【図１５】
2010147550.tif 000017
【図１６】
2010147550.tif 000018
【図１７】
2010147550.tif 000019
【図１８】
2010147550.tif 000020
【図１９】
2010147550.tif 000021
【図２０】
2010147550.tif 000022
【図２１】
2010147550.tif 000023
【図２２】
2010147550.tif 000024
【図２３】
2010147550.tif 000025